(57)【特許請求の範囲】
【請求項１】
車体フレーム（３０）と相対回転可能に配置されたハンドル（２０）と、
前記ハンドル（２０）を回転させる第１アクチュエータ（１７４）と、
前記第１アクチュエータを制御するアクチュエータ制御部（１７２）と、
自車両の転倒が発生するか否かを判定する転倒判定部（１４１）と、
を備えた自動二輪車において、
前記アクチュエータ制御部（１７２）は、転倒が発生すると判定された場合に、前記ハンドル（２０）の回転角を固定するように前記第１アクチュエータ（１７４）を制御する、
ことを特徴とする自動二輪車。
【請求項２】
前記アクチュエータ制御部（１７２）は、転倒が発生すると判定された場合に、前記ハンドル（２０）を中央位置に保持させるように前記第１アクチュエータ（１７４）を制御する、
ことを特徴とする請求項１に記載の自動二輪車。
【請求項３】
前輪（２）を転舵する第２アクチュエータ（１７３）と、
前記第２アクチュエータ（１７３）を制御する転舵アクチュエータ制御部（１７２）と、
を備え、
前記転舵アクチュエータ制御部（１７２）は、転倒が発生すると判定された場合に、前記前輪（２）を中央位置に保持させるように前記第２アクチュエータ（１７３）を制御する、
ことを特徴とする請求項１または請求項２に記載の自動二輪車。
【発明の詳細な説明】
【技術分野】
【０００１】
本発明は、自動二輪車に関するものである。
【背景技術】
【０００２】
自動二輪車において、転倒時に乗員を車体からスムーズに離脱させるニーズがある。車両が転倒した状態で可動部が路面に接触していると、車体の姿勢が安定せず、乗員が車体からスムーズに離脱できない可能性がある。可動部の動作を抑制する機構として、特許文献１には、ハンドルバーが衝突の外力の方向に沿って回転して、前輪の本来の方向を維持する緩衝装置アセンブリを含むステアリングハンドルの安全装置が開示されている。
【先行技術文献】
【特許文献】
【０００３】
【特許文献１】特許第５３０２２７４号公報
【発明の概要】
【発明が解決しようとする課題】
【０００４】
しかしながら車両が転倒した状態では、前輪が路面から浮いている場合がある。このため、特許文献１に開示された構成は、転倒した車体の姿勢を安定させるという点で不十分な可能性がある。よって、従来技術にあっては、転倒時に乗員を車体からスムーズに離脱させるという点で改善の余地がある。
【０００５】
そこで本発明は、転倒時に乗員を車体からスムーズに離脱させることができる自動二輪車を提供するものである。
【課題を解決するための手段】
【０００６】
本発明は、車体フレーム（３０）と相対回転可能に配置されたハンドル（２０）と、前記ハンドル（２０）を回転させる第１アクチュエータ（１７４）と、前記第１アクチュエータを制御するアクチュエータ制御部（１７２）と、自車両の転倒が発生するか否かを判定する転倒判定部（１４１）と、を備えた自動二輪車において、前記アクチュエータ制御部（１７２）は、転倒が発生すると判定された場合に、前記ハンドル（２０）の回転角を固定するように前記第１アクチュエータ（１７４）を制御する、ことを特徴とする。
【０００７】
本発明によれば、自動二輪車が転倒し、ハンドルの外端部が路面に接触した場合に、ハンドルが回動して車体が変位することを抑制できる。これにより、車体の姿勢が安定し、車体と路面との間隔が変化することを抑制できるので、乗員を車体と路面との間から円滑に脱出させることができる。したがって、転倒時に乗員を車体からスムーズに離脱させることができる自動二輪車を提供できる。
【０００８】
上記の自動二輪車において、前記アクチュエータ制御部（１７２）は、転倒が発生すると判定された場合に、前記ハンドル（２０）を中央位置に保持させるように前記第１アクチュエータ（１７４）を制御してもよい。
【０００９】
本発明によれば、ハンドルの外端部が車両の車幅中心から最も離れた位置の近傍に配置される。このため、自動二輪車が転倒し、ハンドルの外端部が路面に接触した場合に、車体と路面との間隔を確保できる。したがって、乗員を車体と路面との間から円滑に脱出させることができる。
【００１０】
上記の自動二輪車において、前輪（２）を転舵する第２アクチュエータ（１７３）と、前記第２アクチュエータ（１７３）を制御する転舵アクチュエータ制御部（１７２）と、を備え、前記転舵アクチュエータ制御部（１７２）は、転倒が発生すると判定された場合に、前記前輪（２）を中央位置に保持させるように前記第２アクチュエータ（１７３）を制御してもよい。
【００１１】
本発明によれば、自動二輪車が転倒した状態で前輪が路面に接触し、前輪が回転することにより車体が変位することを抑制できる。これにより、乗員を車体と路面との間から円滑に脱出させることができる。
【発明の効果】
【００１２】
本発明によれば、転倒時に乗員を車体からスムーズに離脱させることができる自動二輪車を提供できる。
【図面の簡単な説明】
【００１３】
【図１】実施形態の自動二輪車の左側面図である。
【図２】実施形態の車両システムの構成図である。
【図３】実施形態のステアリング装置の構成を示すブロック図である。
【図４】実施形態の制御装置による処理の流れの一例を示すフローチャートである。
【図５】実施形態の自動二輪車が停止状態で転倒した様子を示す正面図である。
【発明を実施するための形態】
【００１４】
以下、本発明の実施形態を図面に基づいて説明する。なお以下の説明では、同一または類似の機能を有する構成に同一の符号を付す。そして、それら構成の重複する説明は省略する場合がある。なお、以下の説明における前後上下左右等の方向は、特に記載のない限り以下に説明する車両における方向と同一とする。また、以下の説明に用いる図中において、矢印ＵＰは上方、矢印ＦＲは前方、矢印ＬＨは左方をそれぞれ示している。
【００１５】
＜車両全体＞
図１は、実施形態の自動二輪車の左側面図である。
図１に示すように、自動二輪車１は、前輪懸架装置１０と、操向ハンドル２０と、車体フレーム３０と、パワーユニット４０と、燃料タンク５０と、シート６０と、を備える。車体フレーム３０の前端部は、前輪懸架装置１０を介して前輪２を支持している。車体フレーム３０は、前輪懸架装置１０の後方でパワーユニット４０、燃料タンク５０およびシート６０を支持している。
【００１６】
前輪懸架装置１０は、車体フレーム３０に対して前輪２を転舵可能に支持している。前輪懸架装置１０は、車体フレーム３０の前端部に回動可能に支持されている。前輪懸架装置１０は、前輪２を回転可能に支持する一対のフロントフォーク１１と、一対のフロントフォーク１１に連結され、車体フレーム３０の前端部に回転可能に支持されたステアリングステムと、を備える。前輪懸架装置１０には、第２アクチュエータ１７３が接続されている。第２アクチュエータ１７３は、車体フレーム３０に支持され、車体フレーム３０に対して前輪懸架装置１０を回動させることにより前輪２を転舵する。
【００１７】
操向ハンドル２０は、乗員による操舵操作が入力される操舵部材である。操向ハンドル２０は、シート６０よりも前方に配置され、車体フレーム３０の上部に相対回転可能に結合されている。操向ハンドル２０は、前輪懸架装置１０から機械的に切り離されている。操向ハンドル２０には、第１アクチュエータ１７４が接続されている。第１アクチュエータ１７４は、車体フレーム３０に支持されている。第１アクチュエータ１７４は、操向ハンドル２０の操舵角度や操舵トルク等に基づいて操向ハンドル２０を回転させることにより、操向ハンドル２０に反力トルクを付与する。
【００１８】
パワーユニット４０は、ガソリンエンジン等の内燃機関、電動機、または内燃機関および電動機の組み合わせである。電動機は、内燃機関に連結された発電機による発電電力、または、二次電池もしくは燃料電池の放電電力を使用して動作する。
【００１９】
＜車両システム＞
図２は、実施形態の車両システムの構成図である。
図２に示す車両システム１００は、自動二輪車１に搭載されている。例えば、車両システム１００は、車両センサ１１０と、周辺検出装置１２０と、運転操作子１３０と、制御装置１４０と、走行駆動力出力装置１５０と、ブレーキ装置１６０と、ステアリング装置１７０と、を備える。これらの装置や機器は、ＣＡＮ（Ｃｏｎｔｒｏｌｌｅｒ  Ａｒｅａ  Ｎｅｔｗｏｒｋ）通信線等の多重通信線やシリアル通信線、無線通信網等によって互いに接続される。なお、図２に示す構成はあくまで一例であり、構成の一部が省略されてもよいし、更に別の構成が追加されてもよい。
【００２０】
車両センサ１１０は、自車両の状態を検出する。車両センサ１１０は、前後輪それぞれの回転速度を検出する車輪速センサ１１１と、自車両の角速度を検出するジャイロセンサ１１３と、乗員の着座を検出するシートセンサ１１４と、を含む。
【００２１】
周辺検出装置１２０は、自車両の周辺の物体を検出する。例えば、周辺検出装置１２０は、カメラ１２１、レーダ装置１２２およびファインダ１２３の一部または全部を含む。なお、周辺検出装置１２０は、ソナーをさらに備えていてもよい。
【００２２】
カメラ１２１は、例えば、ＣＣＤ（Ｃｈａｒｇｅ  Ｃｏｕｐｌｅｄ  Ｄｅｖｉｃｅ）やＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）等の固体撮像素子を利用したデジタルカメラである。カメラ１２１は、例えば、周期的に繰り返し自車両の周辺を撮像する。
【００２３】
レーダ装置１２２は、自車両Ｍの周辺にミリ波等の電波を放射すると共に、物体によって反射された電波（反射波）を検出して少なくとも物体の位置（距離および方位）を検出する。レーダ装置１２２は、ＦＭ−ＣＷ（Ｆｒｅｑｕｅｎｃｙ  Ｍｏｄｕｌａｔｅｄ  Ｃｏｎｔｉｎｕｏｕｓ  Ｗａｖｅ）方式によって物体の位置および速度を検出してもよい。
【００２４】
ファインダ１２３は、ＬＩＤＡＲ（Ｌｉｇｈｔ  Ｄｅｔｅｃｔｉｏｎ  ａｎｄ  Ｒａｎｇｉｎｇ）である。ファインダ１２３は、自車両の周辺に光を照射し、散乱光を測定する。ファインダ１２３は、発光から受光までの時間に基づいて、対象までの距離を検出する。照射される光は、例えば、パルス状のレーザー光である。
【００２５】
運転操作子１３０は、例えば、アクセルグリップや、ブレーキペダル、ブレーキレバー、シフトペダル、操向ハンドル２０等の操作子を含む。運転操作子１３０には、操作量または操作の有無を検出するセンサが取り付けられている。センサの検出結果は、制御装置１４０、または、走行駆動力出力装置１５０、ブレーキ装置１６０、およびステアリング装置１７０のうち一部もしくは全部に出力される。
【００２６】
制御装置１４０は、一体または複数体の電子制御装置（ＥＣＵ：Ｅｌｅｃｔｒｏｎｉｃ  Ｃｏｎｔｒｏｌ  Ｕｎｉｔ）として構成されている。制御装置１４０の少なくとも一部は、ソフトウェアおよびハードウェアの協働によって実現されてもよい。制御装置１４０は、転倒判定部１４１と、乗員判定部１４２と、転舵制御部１４３と、を備える。
【００２７】
転倒判定部１４１は、自車両が停止状態で転倒するか否かを判定する。具体的には、転倒判定部１４１は、車両センサ１１０による車速やロール方向の角加速度等の検出結果に基づいて、自車両が停止状態で転倒するか否かを判定する。なお、転倒判定部１４１は、車速が十分に小さければ自車両が停止状態にあると判定してもよい。
【００２８】
乗員判定部１４２は、乗員が自車両の近傍に存在しているか否かを判定する。例えば、乗員が自車両の近傍に存在している状態とは、乗員が自車両に接触している状態である。具体的に、乗員判定部１４２は、シートセンサ１１４やグリップセンサ等の検出結果に基づいて、乗員が自車両の近傍に存在しているか否かを判定する。なお、乗員判定部１４２は、乗員を監視するカメラの撮像画像に基づいて、乗員の存在を判定してもよい。
【００２９】
転舵制御部１４３は、転倒判定部１４１の判定結果、および乗員判定部１４２の判定結果に基づいて、ステアリング装置１７０を制御する。転舵制御部１４３は、ハンドル固定指令をステアリング装置１７０に出力する。
【００３０】
走行駆動力出力装置１５０は、自車両が走行するための走行駆動力（トルク）を駆動輪（後輪）に出力する。走行駆動力出力装置１５０は、例えば、上述したパワーユニット４０や変速機等の組み合わせと、これらを制御するＥＣＵと、を備える。ＥＣＵは、運転操作子１３０から入力される情報に従って、上記の構成を制御する。
【００３１】
ブレーキ装置１６０は、例えば、ブレーキキャリパーと、ブレーキキャリパーに油圧を伝達するシリンダと、シリンダに油圧を発生させる電動モータと、ブレーキＥＣＵと、を備える。ブレーキＥＣＵは、運転操作子１３０から入力される情報に従って電動モータを制御し、制動操作に応じたブレーキトルクを各車輪に出力させる。ブレーキ装置１６０は、運転操作子１３０に含まれるブレーキレバーまたはブレーキペダルの操作によって発生させた油圧を、マスターシリンダを介してシリンダに伝達する機構をバックアップとして備えてよい。なお、ブレーキ装置１６０は、上記説明した構成に限らず、運転操作子１３０から入力される情報に従ってアクチュエータを制御して、マスターシリンダの油圧をシリンダに伝達する電子制御式油圧ブレーキ装置であってもよい。
【００３２】
図３は、実施形態のステアリング装置の構成を示すブロック図である。
図３に示すように、ステアリング装置１７０は、ステアリングセンサ１７１と、アクチュエータ制御部１７２と、上述した第２アクチュエータ１７３および第１アクチュエータ１７４と、を備える。ステアリングセンサ１７１は、操向ハンドル２０の操舵角度や操舵トルク等を測定する。アクチュエータ制御部１７２は、ステアリングセンサ１７１の検出値、または転舵制御部１４３からの指令に基づいて、第２アクチュエータ１７３および第１アクチュエータ１７４を制御する。第１アクチュエータ１７４は、操向ハンドル２０を固定して中央位置に保持可能である。なお、操向ハンドル２０の中央位置は、直進操舵状態における操向ハンドル２０の位置である。ステアリング装置１７０は、操向ハンドル２０から機械的に切り離された前輪２を第２アクチュエータ１７３によって転舵するステアバイワイヤ装置として形成されている。なお、アクチュエータ制御部１７２は、制御装置１４０に組み込まれていてもよい。
【００３３】
＜制御装置の機能＞
以下、本実施形態に係る制御装置１４０による処理の流れについて図４を参照して説明する。この処理フローは、車両システム１００が起動している状態（例えば、イグニッションがオンの状態）で繰り返し実施される。
【００３４】
図４は、実施形態の制御装置による処理の流れの一例を示すフローチャートである。
図４に示すように、ステップＳ１０において、転倒判定部１４１は、自車両が転倒するか否かを判定する。転倒すると判定された場合（Ｓ１０：ＹＥＳ）、制御装置１４０はステップＳ２０の処理に移行する。転倒しないと判定された場合（Ｓ１０：ＮＯ）、制御装置１４０は一連の処理を終了する。
【００３５】
ステップＳ２０において、転倒判定部１４１は、自車両が停止状態にあるか否かを判定する。停止状態にあると判定された場合（Ｓ２０：ＹＥＳ）、制御装置１４０はステップＳ３０の処理に移行する。停止状態にないと判定された場合（Ｓ２０：ＮＯ）、制御装置１４０は一連の処理を終了する。
【００３６】
ステップＳ３０において、乗員判定部１４２は、乗員が自車両の近傍に存在しているか否かを判定する。乗員が自車両の近傍に存在していると判定された場合（Ｓ３０：ＹＥＳ）、制御装置１４０はステップＳ３０の処理に移行する。乗員が自車両の近傍に存在していないと判定された場合（Ｓ３０：ＮＯ）、制御装置１４０は一連の処理を終了する。
【００３７】
ステップＳ４０において、転舵制御部１４３は、ステアリング装置１７０のアクチュエータ制御部１７２にハンドル固定指令を出力する。アクチュエータ制御部１７２は、ハンドル固定指令を受信すると、操向ハンドル２０の回転角を固定するように第１アクチュエータ１７４を制御する。具体的に、アクチュエータ制御部１７２は、ハンドル固定指令を受信すると、操向ハンドル２０を中央位置まで回転させた上で操向ハンドル２０を中央位置に保持させるように第１アクチュエータ１７４を制御する。続いて、制御装置１４０はステップＳ５０の処理に移行する。
【００３８】
ステップＳ５０において、転舵制御部１４３は、ステアリング装置１７０のアクチュエータ制御部１７２に前輪中央固定指令を出力する。アクチュエータ制御部１７２は、前輪中央固定指令を受信すると、前輪２を中央位置まで転舵させた上で、前輪２を中央位置に保持させるように第２アクチュエータ１７３を制御する。なお、前輪２の中央位置は、直進状態における前輪２が転舵していない位置である。これを以て、制御装置１４０は一連の処理を終了する。
【００３９】
図５は、実施形態の自動二輪車が停止状態で転倒した様子を示す正面図である。
図５に示すように、自動二輪車１が転倒した場合、操向ハンドル２０が中央位置に保持されているので、操向ハンドル２０の外端部２１は、その回動範囲において車幅中心から最も離れた位置の近傍で固定的に配置される。これにより、操向ハンドル２０の外端部は、路面に接触しやすい状態となる。
【００４０】
以上に説明したように、本実施形態の自動二輪車１は、操向ハンドル２０を回転させる第１アクチュエータ１７４と、第１アクチュエータ１７４を制御するアクチュエータ制御部１７２と、自車両の転倒が発生するか否かを判定する転倒判定部１４１と、を備える。アクチュエータ制御部１７２は、転倒が発生すると判定された場合に、操向ハンドル２０の回転角を固定するように第１アクチュエータ１７４を制御する。この構成によれば、自動二輪車１が転倒し、操向ハンドル２０の外端部２１が路面に接触した場合に、操向ハンドル２０が回動して車体が変位することを抑制できる。これにより、車体の姿勢が安定し、車体と路面との間隔が変化することを抑制できるので、乗員を車体と路面との間から円滑に脱出させることができる。したがって、転倒時に乗員を車体からスムーズに離脱させることができる自動二輪車１を提供できる。
【００４１】
アクチュエータ制御部１７２は、転倒が発生すると判定された場合に、操向ハンドル２０を中央位置に保持させるように第１アクチュエータ１７４を制御する。この構成によれば、操向ハンドル２０の外端部２１が車両の車幅中心から最も離れた位置の近傍に配置される。このため、自動二輪車１が転倒し、操向ハンドル２０の外端部２１が路面に接触した場合に、車体と路面との間隔を確保できる。したがって、乗員を車体と路面との間から円滑に脱出させることができる。
【００４２】
アクチュエータ制御部１７２は、転倒が発生すると判定された場合に、前輪２を中央位置に保持させるように第２アクチュエータ１７３を制御する。この構成によれば、自動二輪車１が転倒した状態で前輪２が路面に接触し、前輪２が回転することにより車体が変位することを抑制できる。これにより、乗員を車体と路面との間から円滑に脱出させることができる。
【００４３】
なお、本発明は、図面を参照して説明した上述の実施形態に限定されるものではなく、その技術的範囲において様々な変形例が考えられる。
例えば、上記実施形態では、前輪懸架装置１０および操向ハンドル２０が互いに機械的に切り離されたステアバイワイヤ構造を有しているが、前輪懸架装置および操向ハンドルは機械的に連結されていてもよい。
【００４４】
上記実施形態では、アクチュエータ制御部１７２がハンドル固定指令を受信した際に、第１アクチュエータ１７４の駆動によって操向ハンドル２０を保持している。しかしながら、操向ハンドル２０を保持する機構はこれに限定されず、例えば操向ハンドル２０を車体フレーム３０に対して機械的に連結させて固定する機構を備えていてもよい。
【００４５】
上記実施形態では、転倒が発生する際に操向ハンドル２０を中央位置に保持しているが、操向ハンドル２０の保持位置はこれに限定されない。例えば、中央位置にある操向ハンドルの外端部が車幅方向から見て操向ハンドルの回転軸線の後方に位置する場合には、操向ハンドルの保持位置を、車幅方向から見て操向ハンドルの外端部が操向ハンドルの回転軸線と重なる位置としてもよい。これにより、操向ハンドルの外端部が車両の車幅中心から最も離れた位置に配置されるので、自動二輪車が転倒した場合に車体と路面との間隔を確保できる。
【００４６】
上記実施形態では、乗員が自車両の近傍に存在している場合に操向ハンドル２０の回転角を固定しているが、乗員の存在の判定処理は省略してもよい。すなわち、乗員が自車両の近傍に存在していなくても、転倒が発生すると判定された場合に操向ハンドル２０の回転角を固定してもよい。
【００４７】
上記実施形態では、車両センサ１１０は、ジャイロセンサ１１３を含んでいるが、ジャイロセンサ１１３に代えて、自車両の傾斜を検出する傾斜センサや、自車両の加速度を検出する加速度センサ等を含んでいてもよい。
【００４８】
その他、本発明の趣旨を逸脱しない範囲で、上記した実施の形態における構成要素を周知の構成要素に置き換えることは適宜可能である。
【符号の説明】
【００４９】
１…自動二輪車  ２…前輪  ２０…操向ハンドル（ハンドル）  ３０…車体フレーム  １４１…転倒判定部  １７２…アクチュエータ制御部（転舵アクチュエータ制御部）  １７３…第２アクチュエータ  １７４…第１アクチュエータ
【図１】
0006964151.tif 000002
【図２】
0006964151.tif 000003
【図３】
0006964151.tif 000004
【図４】
0006964151.tif 000005
【図５】
0006964151.tif 000006